(57)【要約】【課題】ヘッダー組み込み時の複数の接続管と熱交換器のパスの位置合わせが容易で組立て作業性の良い空気調和機の室外ユニットを提供する。  【解決手段】筺体内部に配された熱交換器１９が、複数の冷媒流通経路を形成した複数のパスと、冷媒を分流・集合するヘッダー２６を複数の接続管２７により熱交換器１９のパスの所定の位置に接続して構成され、ヘッダー２６は長手方向の一部で一方の端部を所定寸法長さに渡って拡管した拡管部２８を形成し、他方の端部を拡管部２８に挿入して形成しているので、ヘッダー２６の一方の拡管部２８に他方の端部を挿入した状態で片側づつの接続管２７の挿着が可能となるとともに、ヘッダー２６の拡管部２８の挿入代を調整することでパスと接続管２７の位置合わせがスムーズに行える。【選択図】図２
2008089294.tif 000002
【特許請求の範囲】
【請求項１】
筺体内部に熱交換器と送風機等とを備え、前記熱交換器は複数のパスを構成する配管を有して複数の接続管により接続されたヘッダーを備え、前記ヘッダーを長手方向の一部で分割して形成したことを特徴とする空気調和機の室外ユニット。
【請求項２】
分割した一方のヘッダーの端部を所定寸法長さにわたって拡管するとともに、他方のヘッダーの端部を前記拡管部に挿入して形成したことを特徴とする請求項１記載の空気調和機の室外ユニット。
【請求項３】
一方のヘッダーの拡管部の長さ寸法は、他方のヘッダーの挿入部の長さ寸法より大きくして、ヘッダーを熱交換器の所定の位置に接続管を介して挿着する際に余裕を持たせたことを特徴とする請求項２記載の空気調和機の室外ユニット。
【請求項４】
分割したヘッダーを連結管により連結して形成したことを特徴とする請求項１記載の空気調和機の室外ユニット。
【請求項５】
分割した各々のヘッダーを熱交換器の所定の位置に装着した際に、各々のヘッダーの分割側の端部が接触することのない間隙部を形成したことを特徴とする請求項４記載の空気調和機の室外ユニット。
【請求項６】
分割した一方のヘッダーの端部に、連結管が所定の位置に収まる突起を形成したことを特徴とする請求項４又は５記載の空気調和機の室外ユニット。
【請求項７】
突起を下方のヘッダーの端部に形成したことを特徴とする請求項６記載の空気調和機の室外ユニット。
【請求項８】
連結管の両側の端部を外側に向かって広がるように傾斜して形成したことを特徴とする請求項４〜７のうちいずれか一項に記載の空気調和機の室外ユニット。
【請求項９】
連結管の中央部を両端部が自在に回動するよう蛇腹状に形成したことを特徴とする請求項４〜８のうちいずれか一項に記載の空気調和機の室外ユニット。
【発明の詳細な説明】
【技術分野】
【０００１】
本発明は空気調和機の室外ユニットに関するもので、特に室外ユニットの熱交換器を形成するヘッダー構成に関するものである。
【背景技術】
【０００２】
近年、複数の部品から構成される空気調和機の室外ユニットでは、大量生産への対応とともに労働力不足、省コスト化への対応により、組立性の良好な構造の確立が求められている。
【０００３】
以下に、従来の空気調和機の室外ユニットの構成を図８、図９を用いて説明する（例えば、特許文献１参照）。
【０００４】
図８、図９において、室外ユニット１は、天板２、側板３、及び底板４で形成され、内部に熱交換器５と送風機取付板６に装着された送風機７を内蔵する風回路室８と、圧縮機９を内蔵する機械室１０が設けられ、これらが仕切板１１にて隔てられている。熱交換器５は複数のパスを構成する配管を有しており、その配管に複数の接続管１２により接続されたヘッダー１３を備えて構成している。
【特許文献１】特開平９−１９６４１３号公報
【発明の開示】
【発明が解決しようとする課題】
【０００５】
しかしながら上記従来の空気調和機の室外ユニットの構成では、熱交換器５本体に複数の接続管１２を介してヘッダー１３を組み込むには、例えばあらかじめヘッダー１３に複数の接続管１２を溶接等で固着したあと、複数の接続管１２を相対する熱交換器５の複数のパスを構成する配管に挿着する。その際に、複数の接続管１２を同時に熱交換器５の複数のパスに挿着する必要があるとともに、熱交換器５の組立てばらつきによるパスの位置ずれや、接続管１２をヘッダー１３に溶接する際の作業ばらつきによる接続管１２の位置ずれが発生し、熱交換器５の配管とずれて合いにくいため組立て作業性が悪く、作業工数の増加、接続管１２の傷付きや変形の原因となっていた。
【０００６】
本発明は、上記従来の課題を解決するもので、安価な構成で組立て作業性のよい空気調和機の室外ユニットを提供することを目的とするものである。
【課題を解決するための手段】
【０００７】
上記従来の課題を解決するために、本発明の空気調和機の室外ユニットは、筺体内部に熱交換器と送風機等とを備え、前記熱交換器は複数のパスを構成する配管を有して複数の接続管により接続されたヘッダーを備え、前記ヘッダーを長手方向の一部で分割して形成しているので、複数の接続管を備えたヘッダーを熱交換器に挿着する際は、分割したヘッダー毎に相対する熱交換器のパスに挿着できることで位置合わせがスムーズに行えるため組立て作業性が向上する。
【発明の効果】
【０００８】
本発明の空気調和機の室外ユニットは、安価な構成で、簡単に接続管と熱交換器の位置合わせができるので作業効率が非常に良いものである。
【発明を実施するための最良の形態】
【０００９】
第１の発明は、筺体内部に熱交換器と送風機等とを備え、前記熱交換器は複数のパスを
構成する配管を有して複数の接続管により接続されたヘッダーを備え、前記ヘッダーを長手方向の一部で分割して形成しているので、複数の接続管を備えたヘッダーを熱交換器の配管に挿着する際は、分割したヘッダー毎に相対する熱交換器のパスに挿着できることで位置合わせがスムーズに行えるため組立て作業性が向上する。
【００１０】
第２の発明は、特に第１の発明の分割した一方のヘッダーの端部を所定寸法長さにわたって拡管するとともに、他方のヘッダーの端部を前記拡管部に挿入して形成したもので、ヘッダーの強度が向上する。
【００１１】
第３の発明は、特に第２の発明の一方のヘッダーの拡管部の長さ寸法は、他方のヘッダーの挿入部の長さ寸法より大きくして、ヘッダーを熱交換器の所定の位置に接続管を介して挿着する際に余裕を持たせて形成したもので、ヘッダーを挿着する際に分割したヘッダー同士が当接して干渉することがなく、熱交換器の組立てばらつきによるパスの位置ずれや、接続管をヘッダーに溶接する際の作業ばらつきによる接続管の位置ずれが発生した場合でも、余裕部でのヘッダーの位置調整ができるため組立て作業性が向上する。
【００１２】
第４の発明は、特に第１の発明の分割したヘッダーは長手方向の一部で分割され連結管により連結して形成しているので、複数の接続管を備えたヘッダーを熱交換器の配管に挿着する際は、分割したヘッダー毎に相対する熱交換器のパスに挿着できることで位置合わせがスムーズに行えるため組立て作業性が向上するとともに、連結部の強度が向上する。
【００１３】
第５の発明は、特に第４の発明の分割した各々のヘッダーを熱交換器の所定の位置に装着した際に、各々のヘッダーの端部が接触することのない間隙部を形成したもので、作業ばらつきによる熱交換器のパス位置や接続管の位置ずれがあった場合でも、分割した双方のヘッダーを熱交換器に装着する際に双方のヘッダー端部が干渉することがなく位置調整ができることから作業性が向上するとともに、例えばあらかじめ連結管により仮連結した状態でも双方のヘッダーを熱交換器の所定の位置に装着することも可能となることから、作業方法の多様化が図れる。
【００１４】
第６の発明は、特に第４または第５の発明の分割した一方のヘッダーの端部に、連結管が所定の位置に収まる突起を形成したもので、連結管を分割したヘッダーに溶接する際の位置決めが容易となり組立て作業性が向上する。
【００１５】
第７の発明は、特に第６の発明の突起を下方のヘッダーの端部に形成したもので、連結管を溶接する際に、突起により連結管が自重で下方にずれて移動してしまうことなく溶接作業ができるため組立て作業性が向上する。
【００１６】
第８の発明は、特に第４の発明の連結管の両端部を外側に向かって広がるように傾斜して形成したもので、連結管をヘッダーに挿入する際にヘッダー端部と干渉することなく連結管端部の傾斜に沿ってスムーズに挿入できるため組立て作業性が向上する。
【００１７】
第９の発明は、特に第４の発明の連結管の中央部を両端部が自在に回動するよう蛇腹状に形成したもので、一方のヘッダーに連結管を挿入してヘッダーを熱交換器の所定の位置に装着した後、他方のヘッダーを熱交換器の所定の位置に装着して連結管にて連結する際に、組立てばらつきによりヘッダーの位置が多少ずれていた場合でも、連結管を中央部で回動させて他方のヘッダーに挿入できるため組立て作業性が向上する。また、分割したヘッダーをあらかじめ連結管で連結した状態で熱交換器に装着する場合でも、連結管の蛇腹状の中央部で上下各々のヘッダーの位置調整ができるため組立て作業性が向上する。
【００１８】
以下、本発明の実施の形態について、図面を参照しながら説明する。なお、この実施の
形態によって本発明が限定されるものではない。
【００１９】
（実施の形態１）
図１は、本発明の第１の実施の形態における空気調和機の室外ユニットの構成を示す分解斜視図で、図２は、同室外ユニットの熱交換器の要部拡大図である。
【００２０】
図１、図２、において、室外ユニット１４は、天面部を覆う天板１５、側面部を覆う側板１６、底部を形成する底板１７で形成され、内部を仕切板１８によって左右に仕切られ、その片側に熱交換器１９と送風機取付板２０に装着されファンをファンモーターに取付けて構成した送風機２１を内蔵する風回路室２２が、もう片側に圧縮機２３、電装品箱２４を内蔵する機械室２５とで構成されている。
【００２１】
熱交換器１９は、複数の冷媒流通経路を形成した複数のパスにて構成され、冷媒を分流又は集合するヘッダー２６が複数の接続管２７により複数のパスを構成する配管にそれぞれ接続され、ヘッダー２６は長手方向の一部で一方の端部２６ａを所定寸法長さに渡って拡管した拡管部２８を形成し、他方の端部２６ｂを拡管部２８に挿入して溶接等で固着して形成している。
【００２２】
以上のように構成された空気調和機の室外ユニットにおいて、ヘッダー２６を熱交換器１９に接続する際は、ヘッダー２６に固着された複数の接続管２７を熱交換器１９の複数のパスを構成する所定の位置の配管に挿着する際に、ヘッダー２６の一方の拡管部２８に他方の端部２６ｂを挿入した状態で片側ずつの接続管２７の挿着が可能となるとともに、ヘッダー２６の拡管部２８の挿入代を調整することでパスと接続管２７の位置合わせがスムーズに行えるため組立て作業性が向上する。
【００２３】
以上のように、本実施の形態によれば、安価な構成で簡単に熱交換器の複数のパスとヘッダーの複数の接続管との位置合わせが容易にできるものである。
【００２４】
（実施の形態２）
図３は、本発明の第２の実施の形態における空気調和機の室外ユニットの要部拡大図である。なお、上記実施の形態と同一部分については同一符号を付してその説明を省略する。
【００２５】
本実施の形態は、ヘッダー２６の一方の拡管部２８の長さ寸法を他方の挿入部２９の長さ寸法より大きく形成するとともに、ヘッダー２６を熱交換器１９の所定の位置に接続管２７を介して挿着する際に間隙ａを持たせて形成している。これにより、熱交換器１９の組立てばらつきによるパスの位置ずれや、接続管２７をヘッダー２６に溶接する際の作業ばらつきによる接続管２７の位置ずれが発生した場合でも、ヘッダー２６の拡管部２８で双方が当接して干渉することがなく、熱交換器１９のパスと接続管２７の位置合わせがスムーズに行えることで組立て作業性が向上する。
【００２６】
（実施の形態３）
図４は、本発明の第３の実施の形態における空気調和機の室外ユニットの熱交換器の要部拡大図である。図４において、熱交換器１９は、複数の冷媒流通経路を形成した複数のパスにて構成され、冷媒を分流又は集合するヘッダー２６が複数の接続管２７により複数のパスを構成する配管にそれぞれ接続されている。ヘッダー２６は、長手方向の一部で上下に分割され、分割部をヘッダー２６の外周を覆う連結管３０により連結して形成している。
【００２７】
以上のように構成された空気調和機の室外ユニットにおいて、ヘッダー２６を熱交換器
１９に接続する際は、ヘッダー２６の一方の端部にあらかじめ連結管３０を装着した状態でヘッダー２６の片側ずつ接続管２７を熱交換器１９のパスを構成する所定の位置の配管に接続した後、連結管３０を所定の位置にずらして溶接できるため、熱交換器のパスを構成する全ての配管と接続管２７の位置あわせをすることがなく組立て作業性が向上する。
【００２８】
以上のように、本実施の形態によれば、安価な構成で簡単に熱交換器の複数のパスとヘッダーの複数の接続管との位置合わせが容易にできるものである。
【００２９】
（実施の形態４）
図５は、本発明の第４の実施の形態における空気調和機の室外ユニットの要部拡大図である。なお、上記実施の形態と同一部分については同一符号を付してその説明を省略する。
【００３０】
本実施の形態は、分割した双方のヘッダー２６を熱交換器１９の所定の位置に接続した際に、各々の端部が接触することのない間隙部ａを形成している。これにより、熱交換器１９の組立てばらつきによるパスの位置ずれや、接続管２７をヘッダー２６に溶接する際の作業ばらつきによる接続管２７の位置ずれが発生した場合でも、ヘッダー２６の双方の端部が当接して干渉することがなく、熱交換器１９のパスと接続管２７の位置合わせがスムーズに行えることで組立て作業性が向上する。
【００３１】
また、あらかじめ連結管３０により仮連結した状態でも双方のヘッダーを熱交換器の所定の位置に装着する際に、間隙部ａにより双方のヘッダーの位置合わせが可能となることから作業方法の多様化が図れる。
【００３２】
（実施の形態５）
図６は、本発明の第５の実施の形態における空気調和機の室外ユニットの要部拡大図である。なお、上記実施の形態と同一部分については同一符号を付してその説明を省略する。
【００３３】
本実施の形態は、分割した一方のヘッダー２６の端部に、連結管３０が所定の位置に収まる突起３１を形成している。これにより、連結管３０を溶接する際は連結管３０を突起３１の位置までずらすことで位置決めが可能となり作業性が向上する。また、突起３１を下方のヘッダー２６に形成することにより、連結管３０を突起３１の位置までずらした後、自重によってずれ落ちるのを防止する為手で押さえておく必要がなく、一人で簡単に作業が行える。
【００３４】
（実施の形態６）
図７は、本発明の第６の実施の形態における空気調和機の室外ユニットの要部拡大図である。なお、上記実施の形態と同一部分については同一符号を付してその説明を省略する。
【００３５】
本実施の形態は、連結管３０の両方の連結管端部３０ａを外側に向かって広がるように傾斜して形成している。これにより、連結管３０をヘッダー２６の端部に挿入する際に双方の中心位置が多少ずれていた場合でも、ヘッダー２６の端部が連結管３０の端部の傾斜に沿って案内されることから、組立て作業性が向上する。
【００３６】
（実施の形態７）
図８は、本発明の第７の実施の形態における空気調和機の室外ユニットの要部拡大図である。なお、上記実施の形態と同一部分については同一符号を付してその説明を省略する。
【００３７】
本実施の形態は、連結管３０の中央部３２を両方の連結管端部３０ａが自在に回動するよう蛇腹状に形成している。これにより、ヘッダー２６を連結管３０にて連結する際に、組立てばらつきにより分割した双方のヘッダー２６の位置が多少ずれていた場合でも、一方のヘッダー２６に連結管３０を挿入した後連結管３０を中央部で回動させることで、位置合わせが可能となり他方のヘッダーに挿入できるため組立て作業性が向上する。
【００３８】
また、分割したヘッダー２６をあらかじめ連結管３０で連結した状態で装着する場合でも、連結管３０の蛇腹状の中央部３２で上下各々のヘッダー２６の位置調整ができるため組立て作業性が向上する。
【産業上の利用可能性】
【００３９】
以上のように、本発明に係る空気調和機の室外ユニットは、安価な構成で、簡単に複数のパスを有する熱交換器のヘッダーの接続ができるので、作業効率が非常に良く、熱源器を有する各種機器、装置にも適用できるものである。
【図面の簡単な説明】
【００４０】
【図１】本発明の実施の形態１における空気調和機の室外ユニットの分解斜視図
【図２】同室外ユニットの要部拡大図
【図３】同室外ユニットの要部拡大図
【図４】同室外ユニットの要部拡大図
【図５】同室外ユニットの要部拡大図
【図６】同室外ユニットの要部拡大図
【図７】同室外ユニットの要部拡大図
【図８】同室外ユニットの要部拡大図
【図９】従来の空気調和機の室外ユニットの分解斜視図
【図１０】同室外ユニットの要部拡大図
【符号の説明】
【００４１】
１４  室外ユニット
１９  熱交換器
２１  送風機
２６  ヘッダー
２６ａ，２６ｂ  端部
２７  接続管
２８  拡管部
２９  挿入部
３０  連結管
３０ａ  連結管端部
３１  突起
３２  中央部
【図１】
2008089294.tif 000003
【図２】
2008089294.tif 000004
【図３】
2008089294.tif 000005
【図４】
2008089294.tif 000006
【図５】
2008089294.tif 000007
【図６】
2008089294.tif 000008
【図７】
2008089294.tif 000009
【図８】
2008089294.tif 000010
【図９】
2008089294.tif 000011
【図１０】
2008089294.tif 000012